(57)【特許請求の範囲】
【請求項１】
ベース画像に所定データ長の重畳画像を合成して表示させる画像処理装置に上記重畳画像を送信する重畳画像送信装置において、
入力操作が行われる操作手段と、
上記操作手段の操作に基づいて上記重畳画像の画像データの所定領域ごとに設定可能に設けられた所定データ位置に半透明または不透明を識別するための半透明判定フラグを挿入して上記所定データ長とする半透明判定フラグ挿入手段と、
上記半透明判定フラグ挿入手段によって挿入される半透明判定フラグ位置のデータを半透明判定フラグとして利用するか否かを上記重畳画像全体に対して示す半透明有効フラグを上記画像データごとに設定できる半透明有効フラグ設定手段と、
を備えることを特徴とする重畳画像送信装置。
【請求項２】
上記半透明判定フラグは、
上記重畳画像の輝度データの最下位ビットに挿入されるようにした
請求項１に記載の重畳画像送信装置。
【請求項３】
ベース画像に所定データ長の重畳画像を合成して出力する画像処理装置において、
上記重畳画像の画像データの所定データ位置に、半透明または不透明を識別するための半透明判定フラグを挿入して上記所定データ長とする半透明判定フラグ挿入手段と、
上記画像データごとに上記半透明判定フラグが挿入される位置のデータを半透明判定フラグとして利用するか否かを示す半透明有効フラグが設定される半透明有効フラグ設定手段と、
上記半透明判定フラグ挿入手段から出力される重畳画像のデータから上記半透明判定フラグを検出するフラグ検出手段と、
上記半透明有効フラグに基づいて上記フラグ検出手段の検出結果が有効か否かを判定し、上記フラグ検出手段の検出結果が有効であると判定された画像データについては、上記フラグ検出手段の検出結果に基づいて、上記重畳画像が出力される不透明画像と、上記ベース画像が出力される透明画像と、上記ベース画像および上記重畳画像を混合した画像が出力される半透明画像とを切り替えて出力する画像処理手段と
を備える画像処理装置。
【請求項４】
上記画像処理手段は、
上記検出手段の検出結果が無効を示していると判定された画像データについては上記重畳画像の画像データのある領域では上記重畳画像データが選択出力される
請求項３に記載の画像処理装置。
【請求項５】
上記画像処理手段は、
上記重畳画像の輝度データの値に基づいて上記透明画像と、上記半透明画像とを切り替えて出力する
請求項３に記載の画像処理装置。
【請求項６】
上記重畳画像の画像データは、
所定データ長の輝度データと色差データとからなるコンポーネントカラービデオデータであり、上記輝度データに上記半透明判定フラグが挿入されて上記所定データ長の輝度データになるようにした
請求項３に記載の画像処理装置。
【請求項７】
上記輝度データの最下位ビットが上記半透明判定フラグになるようにした
請求項６に記載の画像処理装置。
【請求項８】
上記重畳画像の画像データは、
輝度データと所定データ長の色差データとからなるコンポーネントカラービデオデータであり、上記色差データに、上記半透明判定フラグが挿入されて上記所定データ長の色差データとなるようにした
請求項３に記載の画像処理装置。
【請求項９】
上記色差データの最下位ビットが上記半透明判定フラグになるようにした
請求項８に記載の画像処理装置。
【請求項１０】
上記重畳画像の画像データは、
各々所定データ長の３原色データからなるコンポーネントカラービデオデータであり、上記３原色データの１つに上記半透明判定フラグが挿入されて上記所定データ長の３原色データの１つになるようにした
請求項３に記載の画像処理装置。
【請求項１１】
上記３原色データの１つの最下位ビットが上記半透明判定フラグになるようにした
請求項１０に記載の画像処理装置。
【請求項１２】
ベース画像データが入力されるベース画像入力手段と、
上記ベース画像データに重畳される重畳画像データまたは上記重畳画像データの所定領域ごとに設定可能に設けられた所定データ位置に半透明または不透明を識別するための半透明判定フラグの挿入処理が施されて上記所定データ長に処理された処理済み重畳画像データのいずれかがミックス画像データとして入力され、入力された上記ミックス画像データの上記所定データ位置からデータを抽出する抽出手段と、
上記ミックス画像データ全体に対して半透明判定フラグ挿入位置のデータの有効または無効を示す半透明有効フラグが入力され、入力された上記半透明有効フラグが上記半透明判定フラグに基づく上記ベース画像データと上記ミックス画像データとの重畳処理に対して有効を示しているミックス画像データに対しては、上記半透明判定フラグに基づいて上記ベース画像データと上記ミックス画像データとを重畳処理する重畳処理手段と、
を備える画像処理装置。
【請求項１３】
上記半透明判定フラグは、
上記重畳画像データの輝度データの最下位ビットに挿入されるようにした
請求項１２に記載の画像処理装置。
【請求項１４】
上記重畳処理手段は、
上記半透明有効フラグが上記半透明判定フラグを無効であると示すミックス画像データに対しては上記ミックス画像データが存在する領域のみ上記ミックス画像データを不透明で上記ベース画像データに重畳表示する
請求項１２に記載の画像処理装置。
【発明の詳細な説明】
【０００１】
【発明の属する技術分野】
この発明は、例えば、ディジタルスチルカメラで撮影されたベース画像に、絵柄パターンや、観光地や有名人の写真、アニメーションのキャラクタ等のミックス画像を重畳させて表示させるような画像処理を行なうのに用いて好適な重畳画像送信装置および画像処理装置に関する。
【０００２】
【従来の技術】
図６に示すように、ディジタルカメラで撮影されたベース画像１０１に対して、絵柄パターンや、観光地や有名人の写真、アニメーションのキャラクタ等のミックス画像１０２を重畳させて表示させたい場合がある。
【０００３】
図６Ａはベース画像１０１を示し、図６Ｂはミックス画像１０２を示している。ベース画像１０１は、ディジタルカメラで撮影されたベース画像である。ミックス画像１０２は、絵柄パターンや、観光地や有名人の写真、アニメーションのキャラクタ等であり、これらの中から、ユーザの好みのパターンのものが選択される。図６Ａに示すようなディジタルビデオカメラで撮影されてベース画像１０１上に、図６Ｂに示すようなユーザにより選択されたミックス画像１０２が重畳すると、図６Ｃに示すような画像が形成される。
【０００４】
このように、ディジタルカメラで撮影されたベース画像に、ミックス画像を重畳させて表示させるようにすると、ミックス画像を取り替えることで、ユーザが撮影したベース画像に変化を付けることができる。また、観光地や有名人の写真をミックス画像として用いると、恰も、その観光地に旅行したり、有名人と一緒に写真を撮ったような画像が形成できる。
【０００５】
このように、ベース画像にミックス画像を重畳させて表示させる場合、従来、ミックス画像の優先度はベース画像の優先度よりも高くされており、ベース画像とミックス画像とが重なっている部分は、図６Ｃに示すように、ミックス画像１０２でベース画像１０１を隠してしまうように合成している。すなわち、従来では、ミックス画像の属性は、常に不透明とされている。
【０００６】
ところが、ミックス画像の属性を常に不透明としてしまうと、ベース画像１０１とミックス画像１０２とが重なっている部分では、ベース画像１０１が何も見えなくなってしまう。そこで、ベース画像１０１とミックス画像１０２とが重なっている部分は、ベース画像１０１がミックス画像１０２中に透けて見えるように合成できることが望まれる。すなわち、ミックス画像の属性を半透明とすることが望まれる。
【０００７】
このように、ミックス画像の属性を半透明と不透明とに設定できるようにするためには、半透明か不透明かを識別させるための方法が必要になる。そこで、半透明か不透明かを識別させる方法として、新たに半透明と不透明とを識別するためのフラグを拡張する方法や、特定の色を半透明として扱う方法が考えられる。
【０００８】
【発明が解決しようとする課題】
ところが、半透明フラグを拡張する方法では、半透明を扱わない従来のフォーマットの画像データとの親和性が損なわれてしまうという問題がある。更に、半透明フラグを拡張する方法では、無駄なビットが発生すると共に、ハードウェアが増大するという問題がある。
【０００９】
すなわち、画像データは、通常、メモリ上では、１画素が１バイトの整数倍を単位として扱われている。このため、半透明フラグを拡張する場合には、１バイトを単位として拡張することが考えられる。ところが、半透明フラグは、半透明か不透明かを識別するものであるから、１ビットで十分に表現できる。このため、１バイトを単位として拡張すると、残りのビットが無駄なビットとなってしまう。また、１バイトを単位として拡張すると、拡張したデータは１画素当たりのビット量が増加してしまうため、画像データを格納するためのメモリの容量が大きくなり、グラフィック処理を行なうハードウェアの規模が大きくなってしまう。
【００１０】
特定カラーを半透明として扱う方法では、画像データを作成する際、ユーザは特定のカラーが半透明であることを意識しなければならないため、ユーザに負担が強いられると共に、１つの画像データにおいてあるカラーを半透明として指定してしまうと、そのカラーを不透明として表示することができなくなってしまうという問題がある。
【００１１】
したがって、この発明の目的は、ベース画像にミックス画像を重畳させて表示させる際に、ベース画像の属性を不透明、半透明に設定できるようにした重畳画像送信装置および画像処理装置を提供することにある。
【００１２】
この発明の他の目的は、従来のフォーマットの画像データとの親和性が保持できると共に、ハードウェアやソフトウェアの増大を招くことがなく、ベース画像の属性を不透明、半透明に設定できるようにした重畳画像送信装置および画像処理装置を提供することにある。
【００１３】
【課題を解決するための手段】
この発明は、ベース画像に所定データ長の重畳画像を合成して表示させる画像処理装置に重畳画像を送信する重畳画像送信装置において、入力操作が行われる操作手段と、操作手段の操作に基づいて重畳画像の画像データの所定領域ごとに設定可能に設けられた所定データ位置に半透明または不透明を識別するための半透明判定フラグを挿入して所定データ長とする半透明判定フラグ挿入手段と、半透明判定フラグ挿入手段によって挿入される半透明判定フラグ位置のデータを半透明判定フラグとして利用するか否かを重畳画像全体に対して示す半透明有効フラグを画像データごとに設定できる半透明有効フラグ設定手段とを備えることを特徴とする重畳画像送信装置である。
また、この発明は、ベース画像に所定データ長の重畳画像を合成して出力する画像処理装置において、重畳画像の画像データの所定データ位置に、半透明または不透明を識別するための半透明判定フラグを挿入して所定データ長とする半透明判定フラグ挿入手段と、画像データごとに半透明判定フラグが挿入される位置のデータを半透明判定フラグとして利用するか否かを示す半透明有効フラグが設定される半透明有効フラグ設定手段と、半透明判定フラグ挿入手段から出力される重畳画像のデータから半透明判定フラグを検出するフラグ検出手段と、半透明有効フラグに基づいてフラグ検出手段の検出結果が有効か否かを判定し、フラグ検出手段の検出結果が有効であると判定された画像データについては、フラグ検出手段のフラグ検出結果に基づいて、重畳画像が出力される不透明画像と、ベース画像が出力される透明画像と、ベース画像および重畳画像を混合した画像が出力される半透明画像とを切り替えて出力する画像処理手段とを備える画像処理装置である。
さらに、この発明は、ベース画像データが入力されるベース画像入力手段と、ベース画像データに重畳される重畳画像データまたは重畳画像データの所定領域ごとに設定可能に設けられた所定データ位置に半透明または不透明を識別するための半透明判定フラグの挿入処理が施されて所定データ長に処理された処理済み重畳画像データのいずれかがミックス画像データとして入力され、入力されたミックス画像データの所定データ位置からデータを抽出する抽出手段と、ミックス画像データ全体に対して半透明フラグ挿入位置のデータの有効または無効を示す半透明有効フラグが入力され、入力された半透明有効フラグが半透明判定フラグに基づくベース画像データとミックス画像データとの重畳処理に対して有効を示しているミックス画像データに対しては、半透明判定フラグに基づいてベース画像データとミックス画像データとを重畳処理する重畳処理手段とを備える画像処理装置である。
【００１４】
ミックス画像の輝度データの最下位ビットに、半透明判定フラグが挿入される。この半透明判定フラグにより、ミックス画像の属性を設定して、ベース画像にミックス画像を合成することができる。ミックス画像の属性を半透明に設定すれば、ベース画像とミックス画像とが重なっている部分は、ベース画像がミックス画像中に透けて見えるように表示させることができる。
【００１５】
そして、ミックス画像の輝度データの最下位ビットに、半透明判定フラグが挿入されている。このため、ミックス画像の属性を不透明又は半透明に設定できるようにした場合にも、ビット数が増大せず、ハードウェアやソフトウェアの増大を招くことがない。しかも、ミックス画像の輝度データの最下位ビットが用いられているため、解像度の劣化にあまり影響をおよぼすことはない。
【００１６】
更に、半透明有効フラグにより、半透明／不透明の処理を無効とすることができる。半透明／不透明の処理を無効とすると、従来と全く同様に、ミックス画像は不透明であるとして処理でき、従来の方式との整合性が保てる。
【００１７】
【発明の実施の形態】
以下、この発明の実施の形態について図面を参照して説明する。図１は、この発明が適用されたグラフィックシステムの一例を示すものである。図１に示すように、この発明が適用されたグラフィックシステムは、ＣＰＵ（Central Processing Unit ）１と、画像処理プロセッサ２とにより構成される。
【００１８】
ＣＰＵ１に対して、ＲＯＭ（Read Only Memory）５が設けられる。ＲＯＭ５には、複数のミックス画像のパターンが蓄積されている。ミックス画像のパターンとしては、絵柄パターンや、俳優や歌手の写真、アニメーションのキャラクタ等があり、これらミックス画像のパターンは、入力部４からのユーザ入力に基づいて選択できる。また、ベース画像とミックス画像とを重畳して表示させる場合に、入力部４からのユーザ入力に基づいて、半透明と不透明の属性が選択できる。
【００１９】
なお、このミックス画像は、マウス等のポインティングデバイスを使ってユーザが作成したものを用いたり、スキャナやカメラで入力させたものを用いるようにしても良い。また、ミックス画像をユーザが編集できるようにしても良い。
【００２０】
画像処理プロセッサ２は、カメラ３で撮影されたベース画像に、ＲＯＭ５からのミックス画像を重畳して表示させるための処理を行なう。ＲＯＭ５から読み出されたミックス画像のデータは、ＣＰＵ１により、バス７を介して、画像処理プロセッサ２に送られる。このとき、ミックス画像の属性を不透明に設定するか半透明に設定するかに応じて、ＲＯＭ５からのミックス画像の輝度データ中の最下位ビットの半透明判定フラグＴＦＬＧが設定される。
【００２１】
すなわち、この発明が適用されたシステムでは、画像データとして、例えば、４：２：２方式のコンポーネントディジタルカラービデオ信号が用いられている。４：２：２方式のコンポーネントディジタルカラービデオ信号では、図２Ａに示すように、２ピクセル分の輝度データＹ0 、Ｙ1 に対して、１組の色差データＣｂ、Ｃｒにより１ピクセル分の画素データが形成される。輝度データＹ0 、Ｙ1 、色差データＣｂ、Ｃｒは、夫々、例えば、８ビットである。
【００２２】
この発明が適用されたシステムでは、図２Ｂに示すように、このような４：２：２方式のコンポーネントディジタルカラービデオ信号において、輝度データＹ0 、輝度データＹ1 の最下位ビットは、半透明判定フラグＴＦＬＧとされる。半透明判定フラグＴＦＬＧがオフなら、このミックス画像の属性は不透明である。半透明判定フラグＴＦＬＧがオンなら、このミックス画像の属性は、半透明又は透明である。
【００２３】
図１において、画像処理プロセッサ２には、カメラ３からのベース画像のデータが送られると共に、ＲＯＭ５から読み出されたミックス画像のデータが送られる。画像処理プロセッサ２で、ベース画像にミックス画像を重畳する処理が行なわれる。
【００２４】
このように、ベース画像とミックス画像とを重畳する際、画像処理プロセッサ２は、ミックス画像の輝度データ中の最下位ビットの半透明判定フラグＴＦＬＧを抽出し、この半透明判定フラグＴＦＬＧから、ミックス画像の属性を判定する。すなわち、半透明判定フラグＴＦＬＧがオフなら、不透明であると判定される。半透明判定フラグＴＦＬＧがオンなら、半透明又は透明と判定され、更に輝度データが「０」なら透明と判定され、「０」以外なら半透明と判定される。
【００２５】
そして、画像処理プロセッサ２は、判定された属性に応じて、ミックス画像とベース画像とを合成する。
【００２６】
すなわち、画像処理プロセッサ２は、ミックス画像はベース画像より優先度が高いとして、ミックス画像の属性が不透明と判定された領域では、ミックス画像を出力する。ミックス画像の属性が半透明と判定された領域では、ミックス画像とベース画像との中間値を出力する。ミックス画像の属性が透明と判定された領域では、ベース画像を出力する。
【００２７】
画像処理プロセッサ２で、ベース画像にミックス画像が重畳された画像のデータは、ディスプレイ６に送られ、ディスプレイ６にその画像が表示される。
【００２８】
このように、この発明が適用されたグラフィックシステムでは、ベース画像とミックス画像とを重畳する際、ベース画像の属性を不透明、半透明、又は透明に設定できる。
【００２９】
例えば、図３Ａに示すようなベース画像５１に、図３Ｂに示すようなミックス画像５２とを重畳して表示させるとする。この場合、ミックス画像５２の属性を不透明に設定すると、ミックス画像のデータがベース画像のデータに優先し、図３Ｃに示すように、ミックス画像５２とベース画像５１とが重なる部分では、ミックス画像５２によりベース画像５１が隠されるような表示となる。
【００３０】
これに対して、ミックス画像５２の属性を半透明に設定すると、図３Ｄに示すように、ミックス画像５２とベース画像５２とが重なる部分では、ミックス画像のデータとベース画像のデータとの中間値が出力され、ミックス画像５２からベース画像５１が透けて見えるような表示となる。
【００３１】
図４は、上述のように、輝度データの最下位ビットの半透明判定フラグＴＦＬＧを用いて、ミックス画像の属性を設定して、ベース画像にミックス画像を重畳するときの処理を機能ブロック図で示したものである。
【００３２】
図４において、ベース画像は、カメラ３で撮影され、入力画像処理部１１で画像処理されて、ベース画像記憶部１３に記憶される。
【００３３】
一方、ミックス画像は、ＲＯＭ５に蓄積されている。入力部４により、ＲＯＭ５に蓄積されているミックス画像の中から所望の画像が選択される。ＲＯＭ５から読み出されたミックス画像は、フラグ付加部２１に送られる。
【００３４】
また、入力部４により、ミックス画像の属性が設定される。この属性に応じて、半透明判定フラグ発生部２３から、半透明判定フラグＴＦＬＧが発生される。半透明又は透明に設定するときには、半透明判定フラグＴＦＬＧはオンされ、不透明に設定するときには、半透明判定フラグＴＦＬＧはオフされる。この半透明判定フラグ発生部２３から発生される半透明判定フラグＴＦＬＧは、フラグ付加部２１に送られる。フラグ付加部２１で、ＲＯＭ５からミックス画像の輝度データの最下位ビットに、半透明判定フラグＴＦＬＧが付加される。
【００３５】
このように輝度データの最下位ビットに、半透明判定フラグＴＦＬＧが付加されたミックス画像は、画像処理プロセッサ２に送られ、ミックス画像記憶部１４に記憶される。
【００３６】
ベース画像にミックス画像を重畳する処理を行なう際、ユーザは、半透明表示を有効にして表示させるか、従来のように、常に、ミックス画像を不透半透明として扱うかを選ぶことができる。この半透明を有効にするかどうかの入力が入力部４から与えられる。半透明を有効にすると、半透明有効フラグ発生部２４からの半透明有効フラグＶＦＬＧがオンされる。半透明表示を無効にすると、半透明有効フラグ発生部２４からの半透明有効フラグＶＦＬＧがオフされる。この半透明有効フラグＶＦＬＧは、ミキサコントロール部１７に送られる。
【００３７】
ベース画像にミックス画像を重畳する処理が行なわれると、ベース画像記憶部１３からベース画像のデータが読み出されると共に、ミックス画像記憶部１４からミックス画像のデータが読み出される。このベース画像のデータ及びミックス画像のデータは、ミキサ部１５に送られる。
【００３８】
また、ミックス画像記憶部１４からのミックス画像のデータは、フラグ判定部１６に送られる。フラグ判定部１６で、ミックス画像の輝度データの最下位ビットの半透明判定フラグＴＦＬＧの状態が検出される。また、フラグ判定部１６で、輝度データが「０」であるかどうかが判断される。フラグ判定部１６の出力がミキサコントロール部１７に送られる。
【００３９】
ミキサコントロール部１７は、半透明有効フラグ発生部２４からの半透明有効フラグＶＦＬＧと、フラグ判定部１６の出力とにより、ミキサ１５の状態を切り換える。すなわち、半透明有効フラグＶＦＬＧがオフのときには、従来のように、常に、ミックス画像を不透半透明表示として扱うものとして、フラグ判定部１６の出力にかかわらず、ベース画像とミックス画像とが重なる部分では、ミックス画像が出力されるようにミキサ部１５を設定する。
【００４０】
半透明有効フラグＶＦＬＧがオンのときには、半透明判定フラグＴＦＬＧにより、不透明か、半透明又は透明かを判別する。半透明判定フラグＴＦＬＧがオフのときには、ミックス画像の属性は不透明であるとして、ベース画像とミックス画像とが重なる部分ではミックス画像が出力されるようにミキサ部１５を設定する。
【００４１】
半透明判定フラグＴＦＬＧがオンのときには、ミックス画像の属性は不透明又は透明であるとされる。この場合には、更に、輝度データが「０」かどうかが判断される。輝度データが「０」のときには、ミックス画像の属性は透明であるとして、ベース画像とミックス画像とが重なる部分では、ベース画像が出力されるようにミキサ部１５を設定する。輝度データが「０」でないときには、ミックス画像の属性は半透明であるとして、ベース画像とミックス画像とが重なる部分では、ベース画像とミックス画像との中間値が出力されるように、ミキサ１５を設定する。
【００４２】
このようにして、ミキサ１５からは、ミックス画像の属性が不透明、半透明、透明に応じて、ベース画像にミックス画像が重畳された画像データが形成される。このミキサ１５の出力がディスプレイ６に送られる。
【００４３】
図５は、ベース画像にミックス画像を重畳するときの処理を示すフローチャートである。半透明有効フラグＶＦＬＧがオンか否かが判断される（ステップＳ１）。半透明有効フラグＶＦＬＧがオフなら、ミックス画像は従来の４：２：２方式の画像として、属性を不透明とした処理が行なわれる（ステップＳ２）。属性を不透明としたときの処理では、ベース画像とミックス画像とが重なるときには、ミックス画像を出力する処理が行なわれる。
【００４４】
半透明有効フラグＶＦＬＧがオンなら、ミックス画像の輝度データが検出され（ステップＳ３）、輝度データの最下位ビットの半透明判定フラグＴＦＬＧがオンか否かが判断される（ステップＳ４）。
【００４５】
半透明判定フラグＴＦＬＧがオフなら、この画像の属性は不透明であるとして、ステップＳ２に行き、属性を不透明として処理が行なわれる（ステップＳ２）。
【００４６】
半透明判定フラグＴＦＬＧがオンなら、属性は半透明又は透明であるとして、ステップＳ５に進められる。ステップＳ５で、輝度データが検出され、これが「０」であれば、この画素の属性は透明であると判断される。そして、ステップＳ６に行き、属性を透明として処理が行なわれる。属性を透明としたときの処理では、ベース画像とミックス画像とが重なる部分では、ベース画像を出力するような処理が行なわれる。
【００４７】
輝度データが「０」以外であれば、この画素の属性は半透明であると判断される。そして、ステップＳ７に行き、属性を半透明として処理が行なわれる。属性を半透明としたときの処理では、ベース画像とミックス画像とが重なる部分では、ベース画像とミックス画像との中間値が出力されるような処理が行なわれる。
【００４８】
ステップＳ２で属性を不透明とした処理が行なわれ、又はステップＳ６で属性を透明とした処理が行なわれ、又はステップＳ７で属性を半透明とした処理が行なわれたら、処理が終了したか否かが判断される（ステップＳ８）。処理が終了していれば、ステップＳ１にリターンされる。
【００４９】
なお、上述の例では、輝度データの最下位ビットに半透明判定フラグを挿入しているが、最下位以外のビットを半透明判定フラグとして用いても良い。しかしながら、最下位ビットを半透明判定フラグとして用いたときには、解像度の劣化にあまり影響はないが、上位ビットを使うと、解像度の劣化が生じることから、最下位ビットを用いることが望ましい。
【００５０】
また、上述の例では、輝度データに半透明判定フラグを挿入しているが、色差データＣｂ、Ｃｒに半透明判定フラグを挿入するようにしても良い。この場合にも、色差データＣｂ、Ｃｒの最下位ビットを半透明判定フラグとするのが望ましい。
【００５１】
更に、上述の例では、画像データとして、２ピクセル分の輝度データＹ0 、Ｙ1 に対して、１組の色差データＣｂ、Ｃｒにより１ピクセル分の画素データが形成されるような４：２：２方式のディジタルコンポーネントカラービデオ信号を用いているが、３原色信号ＲＧＢからなるディジタルコンポーネントカラービデオ信号を用いるようしても良い。この場合には、３原色信号ＲＧＢのどれかの色信号に、半透明判定フラグを挿入しても良い。この場合にも、３原色信号ＲＧＢのどれかの最下位ビットに半透明判定フラグを挿入することが望ましい。
【００５２】
【発明の効果】
この発明によれば、ミックス画像の輝度データの最下位ビットに、半透明判定フラグが挿入される。この半透明判定フラグにより、ミックス画像の属性を不透明又は半透明に設定して、ベース画像にミックス画像を合成することができる。ミックス画像の属性を半透明に設定すれば、ベース画像とミックス画像とが重なっている部分は、ベース画像がミックス画像中に透けて見えるように表示させることができる。
【００５３】
そして、この発明によれば、ミックス画像の輝度データの最下位ビットに、半透明判定フラグが挿入されている。このため、ミックス画像の属性を不透明又は半透明に設定できるようにした場合にも、ビット数が増大せず、ハードウェアやソフトウェアの増大を招くことがない。しかも、ミックス画像の輝度データの最下位ビットが用いられているため、解像度の劣化にあまり影響をおよぼすことはない。
【００５４】
更に、この発明によれば、半透明有効フラグにより、半透明／不透明の処理を無効とすることができる。半透明／不透明の処理を無効とすると、従来と全く同様に、ミックス画像は不透明であるとして処理でき、従来の方式との整合性が保てる。
【００５５】
【発明の効果】
【図面の簡単な説明】
【図１】  この発明が適用されたグラフィックシステムの一例のブロック図である。
【図２】  半透明判定ビットの説明に用いる略線図である。
【図３】  半透明表示と不透明表示との説明に用いる略線図である。
【図４】  この発明が適用されたグラフィックシステムの一例の説明に用いる機能ブロック図である。
【図５】  この発明が適用されたグラフィックシステムの一例の説明に用いるフローチャートである。
【図６】  従来の半透明表示と不透明表示との説明に用いる略線図である。
【図１】
0004016165.tif 000002
【図２】
0004016165.tif 000003
【図３】
0004016165.tif 000004
【図４】
0004016165.tif 000005
【図５】
0004016165.tif 000006
【図６】
0004016165.tif 000007